(57)【要約】【課題】天井部分の美観を損ねることなく、壁面上端部に光が照射され且つ壁面の広範囲の領域に均整度の高い光を照射できる照明器具を提供する。【解決手段】天井内部に埋め込み設置され、天井面に形成された開口部から壁面に向けて光を照射する照明器具Ｗであって、光源部１０と、光源部１０から出射される光を反射させる反射板２０と、反射板２０と天井面との間に配置される拡散板３０とを備え、拡散板３０は、天井面から上方側に所定寸法離間し且つ光源の中心光軸に対して直交する直交面３０ａと、直交面３０ａの一端部から天井面側に屈折し天井面に向けて延設された傾斜面３０ｂと有している。【選択図】図１
2017130366.tif 000002
【特許請求の範囲】
【請求項１】
天井内部に埋め込み設置され、天井面に形成された開口部から壁面に向けて光を照射する照明器具であって、
光源部と、
前記光源部から出射される光を反射させる反射板と、
前記反射板と前記天井面との間に配置された、前記光を拡散し透過させる拡散板とを備え、
前記拡散板は、前記天井面から上方側に所定寸法離間し且つ光源の中心光軸に対して直交する直交面と、該直交面の一端部から前記天井面側に屈折し該天井面に向けて延設された傾斜面とを有していることを特徴とする照明器具。
【請求項２】
前記光源部は、出射する光の中心光軸が、前記拡散板の傾斜面側に位置するように設置されていることを特徴とする請求項１に記載の照明器具。
【請求項３】
前記反射板は、その上端に前記光源部から出射される光を囲む入射口が形成されていると共に、その下端に該入射した光を出射させる出射口が形成された中空椀状の反射部を有し、
前記傾斜面と相対向している反射板の出射口側には、該出射口の近傍から前記拡散板の傾斜面の外周縁部の近傍まで延設された副反射板が設けられていることを特徴とする請求項１又は２に記載の照明器具。
【発明の詳細な説明】
【技術分野】
【０００１】
本発明は、照明器具に関し、例えば、天井内部に埋め込み設置され、天井面に形成された開口部から壁面に向けて光を照射する照明器具に関する。
【背景技術】
【０００２】
従来から、壁面に光を照射する照明器具として、様々な構成のウォールウォッシャー型ダウンライトが提案されている。
例えば、従来技術のウォールウォッシャー型ダウンライト（以下、単に「ダウンライト」という）として、図５に示す構成のものが知られている。
【０００３】
図示するダウンライト１００は、照射口が下向きになるように天井Ｃに埋め込まれて設置される照明器具であり、ヒートシンク１０１と、ヒートシンク１０１の一端部に装着された光源部１１０と、光源部１１０から出射される光を反射させる反射板１２０と、光源部１１０から出射される光を拡散させ透過させる拡散板１３０と、ダウンライト１００の外枠をなすトリム（枠体）１４０と、ダウンライト１００を天井Ｃ面に固定するための取り付けバネ１５０とを備えている。尚、図中の符号１６０は、コーンである。コーン１６０は、拡散板１３０から出射された光を補助的に下方へ導くと共に、ダウンライト１００が天井Ｃ内部に埋め込み設置された際に、下方からトリム１４０の内周面や天井内部が見えないように覆っている。
【０００４】
また、ダウンライト１００は、「ヒートシンク１０１、光源部１１０、反射板１２０及び拡散板１３０」が、水平面に対して、所定角度（図中では１５°）傾斜した状態でトリム１４０に支持され、光源１１０からの光が壁面に向けて照射されるようになっている。
【０００５】
また、従来技術のウォールウォッシャー型ダウンライトとして、特許文献１に記載された構成の照明装置が提案されている。この照明装置は、特殊に加工された拡散シートを用いて、光源からの光を壁面側に偏向させて壁面を照射するようになっている。
具体的には、特許文献１に記載の照明装置は、光源と、光源からの光を偏向させる拡散シートとを備えている。尚、この照明装置では、光源からの光が、１／２ビーム角が０．１度〜３０度になるように設定されている。また、拡散シートは、光源からの光が入光する入光面及び光源からの光が出光する出光面を有し、入光面及び／又は出光面に、凹凸構造が形成されている。また、出光面には、光源からの光を拡散して出光させる第一領域と、光源からの光を、第一領域における拡散角度とは異なる角度に拡散して出光させる第二領域とが設けられている。
【０００６】
また、現在、市販されているウォールウォッシャー型ダウンライトとして、天井取付面より飛び出した拡散板を用いて、壁面上部にも光を照射できるようにした構成のものが知られている（非特許文献１）。
【０００７】
【特許文献１】特開２０１１−５４３３３号公報
【非特許文献１】“照明器具検索  NDNN73100 LZ9 天井埋込型  LED（昼白色）  ウォールウォッシャダウンライト”〔online〕、Panasonic株式会社、〔平成２７年１２月２２日検索〕、インターネット〈ＵＲＬ：http://www2.panasonic.biz/es/catalog/lighting/products/detail/shouhin.php?at=mvdetail&ct=zentai&id=S00069969&hinban=NDNN73100〉
【発明の開示】
【発明が解決しようとする課題】
【０００８】
しかしながら、上述した従来技術は以下に示す課題を有している。
具体的には、図５に示す従来技術のダウンライト１００は、水平面に対して、天井内部に設置されている「ヒートシンク１０１、光源部１１０、反射板１２０及び拡散板１３０」を傾斜させることで、壁面に光を照射させる構成になっており、その構成上、壁面上端部に光が照射することが困難であるという課題を有している。また、従来技術のダウンライト１００は、ダウンライト１００からの光が略同一方向で照射されるため、壁面の広範囲の領域に光を照射させることができなかった。
【０００９】
また、特許文献１に記載の照明装置は、特殊な加工が必要な拡散シートを用いているため部品の入手性で課題を有している。
また、非特許文献１に記載の照明装置は、特許文献１に記載のものと比べて部品の入手性で有利ではあるものの、天井取付面より拡散板が突出しているため、天井部分の美観を損ねるという課題を招いてしまう。
【００１０】
本発明は、上記の課題を解消するためになされたものであり、その目的は、天井部分の美観を損ねることなく、壁面上端部に光が照射され且つ壁面の広範囲の領域に均整度の高い光を照射できる照明器具を特別な部品を使わずに提供することにある。
【課題を解決するための手段】
【００１１】
上記課題を解決するためになされた本発明は、天井内部に埋め込み設置され、天井面に形成された開口部から壁面に向けて光を照射する照明器具であって、光源部と、前記光源部から出射される光を反射させる反射板と、前記反射板と前記天井面との間に配置された、前記光を拡散し透過させる拡散板とを備え、前記拡散板は、前記天井面から上方側に所定寸法離間し且つ光源の中心光軸に対して直交する直交面と、該直交面の一端部から前記天井面側に屈折し該天井面に向けて延設された傾斜面とを有していることを特徴とする。
【００１２】
この構成によれば、壁面（天井に略垂直な壁面）の近傍の天井部分に、本発明の照明器具を設置した場合、光源部から出射された光が、拡散板に入射されて、入射された光が拡散板で拡散し透過されて壁面に向けて照射される。
具体的には、拡散板に入射した光のうち、光源の中心光軸に対して直交する直交面に入射した光は、直交面で拡散・透過して壁面の上方側（壁面の上端部から所定寸法下側の位置）から下方側にわたって照射される。また、拡散板に入射した光のうち、傾斜面に入射した光は、傾斜面で壁面の上端方向に屈折すると共に拡散・透過し、壁面の上端部から壁面の上方側（壁面Ｄの上端部から所定寸法下側の位置）にわたって照射される。すなわち、本発明では、拡散板が光源の中心光軸に対して直交する直交面及び傾斜面を備えた構造になっているため、壁面の上端部に光が照射できると共に、壁面の上端部から下方側の広範囲の領域に均整度の高い光を照射できる。
また、本発明は、特許文献１に記載の拡散板のような「入光面や出光面に凹凸構造を形成し、且つ出光面に光源からの光を拡散して出光させる第一領域と、光源からの光を、第一領域における拡散角度とは異なる角度に拡散して出光させる第二領域を設けた」構成を用いておらず、単純な構造の拡散板を用いているため、特許文献1に記載のものと比べて特別な材料を使わずに製造することができる。
また、本発明の拡散板は、反射板と天井面との間に配置されており、非特許文献１のダウンライトのように、拡散板が天井面から突出した構成ではないため、天井部分の美観を損ねることがない。
【００１３】
また前記光源部は、出射する光の中心光軸が、前記拡散板の傾斜面側に位置するように設置されていることが望ましい。
この構成により、光源部からの光が、拡散板の光源の中心光軸に対して直交する直交面よりも傾斜面側に多く入射させることができ、その結果、壁面の上端側に光を照射することができる。
【００１４】
また、前記反射板は、その上端に前記光源部から出射される光を囲む入射口が形成されていると共に、その下端に該入射した光を出射させる出射口が形成された中空椀状の反射部を有し、前記傾斜面と相対向している反射板の出射口側には、該出射口の近傍から前記拡散板の傾斜面の外周縁部の近傍まで延設された副反射板が設けられていることが望ましい。
この構成により、反射板の出射口と、拡散板の傾斜面の外周縁部との間の領域に入射される光は、副反射板により反射され、拡散板の傾斜面に入射されるようになる。すなわち、副反射板を設けることで、拡散板の傾斜面により多くの光を効率良く導くことができ、その結果、壁面の上端側に光を照射することができる。
【発明の効果】
【００１５】
本発明によれば、天井部分の美観を損ねることなく、壁面上端部に光が照射され且つ壁面の広範囲の領域に均整度の高い光を照射できる照明器具を特別な部品を使わずに提供することができる。
【図面の簡単な説明】
【００１６】
【図１】本発明の実施形態のダウンライトの構成を示した模式図である。
【図２】本発明の実施形態のダウンライトの光路を示した模式図である。
【図３】本発明の実施形態のダウンライトの壁面照度分布図である。
【図４】図５に示す従来技術のダウンライトの壁面照度分布図である。
【図５】従来技術のダウンライトの構成を示した模式図である。
【発明を実施するための最良の形態】
【００１７】
以下、本発明の実施形態のダウンライト（照明器具）について図面に沿って説明する。
【００１８】
図１に示すように、本実施形態のダウンライト（ウォールウォッシャー型ダウンライト）Ｗは、ヒートシンク１と、ヒートシンク１の一端部に装着された光源部１０と、光源部１０から出射される光を反射させる反射板２０と、光源部１０から出射される光を拡散させて透過させる拡散板３０と、ダウンライトＷの外枠をなすトリム（枠体）４０と、ダウンライトＷを天井Ｃ面に固定するための取り付けバネ５０と、拡散板３０とトリム４０との間の隙間を塞ぐコーン６０とを備えている。
【００１９】
上記のヒートシンク１は、光源部１０で発生する熱を放熱させる機能を担っており、アルミニウム等の熱伝導率が高い金属により形成されている。また、ヒートシンク１の形状について特に限定しないが、本実施形態では、ヒートシンク１は、角柱状の本体部（図示せず）と、この本体部の外周側面上に立設された複数の冷却フィン（図示せず）とを有している構造になっている。
【００２０】
また、光源部１０は、図示しない電源ユニットから供給される電力により発光する。
具体的には、光源部１０は、ヒートシンク１の一端部に装着された光基板（ＣＯＢ（Ｃｈｉｐ Ｏｎ Ｂｏｒｄ））絶縁板１１と、光基板絶縁板１１に装着されている光基板（ＣＯＢ）１２と、光基板１２を覆うシリコンカバー１３とを有している。シリコンカバー１３は、略ドーム状に形成され、光基板１２が発光した光が透過するようになっている。
また、上記の光源部１０（光基板絶縁板１１、光基板１２及びシリコンカバー１３）は、ヒートシンク１と、ヒートシンク１に固定された光基板ホルダー８１とに挟持されている。
尚、光基板（ＣＯＢ）１２の構成は、周知技術であるため詳細な説明を省略する。
【００２１】
また、光源部１０は、出射する光の中心光軸が拡散板３０の「傾斜面３０ｂ（後述する）側」に位置するように設置されている。具体的には、光源部１０は、出射する光の中心光軸が、拡散板３０の「光源の中心光軸に対する直交面３０ａ（後述する）」と「傾斜面３０ｂ」との境界部を基準にして、「傾斜面３０ｂ」側にＸｍｍ（例えば、Ｘ＝５ｍｍ）離間した位置を通過するように配置されている。
この構成より、光源部１０からの光が、拡散板３０の「光源の中心光軸に対する直交面３０ａ」よりも傾斜面３０ｂ側に多く入射されるようにしている。
【００２２】
反射板２０は、その上端にシリコンカバー１３を囲むように配置されている入射口２０ａ１が形成されていると共に、その下端に出射口２０ａ２が形成された中空椀状の反射部２０ａと、出射口２０ａ２から径方向・外側に略直角に折れ曲がり延設されたフランジ部２０ｂと、フランジ部２０ｂの径方向・外側端部から入射口２０ａ１に向けて略直角に折れ曲がり延設された補強部２０ｃとを備えている。反射部２０ａは、その内径が入射口２０ａ１から出射口２０ａ２に向かって漸次大きくなっており、その内周面に反射面が形成されている。
【００２３】
また、反射板２０は、トリム４０に固定された図示しない接続金具（アーム）に支持されている。
また、反射板２０の下端部（出射口２０ａ２側の端部）側には、トリム４０に固定された後述する副反射板７０が配置されている。
【００２４】
拡散板３０は、断面視略への字状に形成され（平面視略円形状に形成され）ており、反射板２０の出射口２０ａ２と、天井Ｃ面との間に位置するように、拡散板取付金具８３を介してトリム４０に支持されている。すなわち、拡散板３０は、ダウンライトＷが天井Ｃ内部に埋め込み設置された際に、天井Ｃ面から下方に突出しない位置に配置されている。
【００２５】
具体的には、拡散板３０は、天井Ｃ面から上方側に所定寸法離間し且つ光源の中心光軸に対して直交する直交面３０ａ（平面視で半円形状の「光源の中心光軸に対する直交面３０ａ）と、光源の中心光軸に対する直交面３０ａの一端部から天井Ｃ面側に屈折し天井Ｃ面に向けて延設された傾斜面３０ｂ（平面視で半円形状の傾斜面３０ｂ）とを有している。ここで、傾斜面３０ｂは、ダウンライトＷの下端をなすトリム４０の下面に対して「θ°」傾斜している。
【００２６】
また、傾斜面３０ｂの傾斜角度は特に限定されるものではなく、ダウンライトＷの設置位置（壁面との距離）に応じて適宜設計される。例えば、傾斜板３０は、「傾斜角度θ＝３０°」になるように形成されている。
尚、拡散板３０は、例えば、電気絶縁性の透明材料（例えば透明なアクリル樹脂）の成形粉末に所定粒径の光拡散粒子を混ぜた原料を成形することにより製造されている。また、このような機能の拡散板は、例えば、液晶ディスプレイのバックライト拡散板や照明器具のセードなどにも使用されている。
【００２７】
トリム（枠体）４０は、両端が開口している略中空円筒状の本体部４０ａと、本体部４０の一端（下端）から径方向・外側に略直角に突出している外側鍔部４０ｂと、本体部４０ａの一端（下端）から径方向・内側に略直角に突出している内側鍔部４０ｃとを備えている。
本体部４０ａの他端（上端）には、ボルト等の固定手段により、拡散板取付金具８３（例えば、Ｚ型金具）が固定されている。尚、この拡散板取付金具８３には、拡散板３０の光源の中心光軸に対する直交面３０ａが固定されている。
また、本体部４０ａの外周側面部には、ボルト等の固定手段を用いて「取り付けバネ５０」が固定されている。尚、「取り付けバネ５０」は、周知技術と同じ構造であるため説明を省略する。
【００２８】
さらに、本体部４０ａの外周側面部には、ボルト等の固定手段により、図示しない接続金具（アーム）が取り付けられている。尚、接続金具（図示せず）は、一端部がトリム４０に固定され、他端部がヒートシンク１に固定されていると共に、他端部側で反射板２０を支持しており、この接続金具により、トリム４０と、反射板２０と、ヒートシンク１とが互いに連結された構造になっている。
【００２９】
また、傾斜面３０ｂと相対向している反射板２０の出射口２０ａ２側には、出射口２０ａ２の近傍から拡散板の傾斜面３０ｂの外周縁部（自由端）の近傍まで鉛直方向に延設された副反射板７０が形成されている。この副反射板７０は、その上端部が、トリム４０に固定されている。
この構成によれば、反射板２０の出射口２０ｃと、拡散板３０の傾斜面３０ｂの外周縁部との間の領域に入射される光が、副反射板７０により反射され、拡散板３０の傾斜面３０ｂに導かれて入射されるようになる。すなわち、副反射板７０を設けることで、拡散板３０の傾斜面３０ｂにより多くの光を導くことができる。
【００３０】
また、コーン６０は、拡散板３０の外周端部の近傍からトリム４０の内側鍔部４０ｃに向けて延設されており、拡散板３０から出射された光を補助的に下方に導くと共に、ダウンライトＷが天井Ｃ内部に埋め込み設置された際に、下方からトリム４０の内周面や天井内部が見えないように覆っている。
【００３１】
上記のように構成されたダウンライトＷは、図２に示すように、光源部１０からの光の照射方向が下向きになるように、壁面Ｄ（例えば、天井に垂直な壁面Ｄ）の近傍の天井Ｃに形成された開口部（取付け孔）内に下側から挿入されて、天井Ｃ内部に設置されるようになっている。尚、天井Ｃ内部に挿入されたダウンライトＷは、トリム４に取り付けられた取り付けバネ５０（図１参照）の弾性力により、天井Ｃに係止されるようになっている。
【００３２】
上記のように天井Ｃ内に設置されたダウンライトＷに電力を供給して光源部１０を発光させると、光源部１０から出射される光は、直接的に、或いは反射板２０や副反射板７０で反射してから拡散板３０に入射される。
また、拡散板３０に入射した光のうち、光源の中心光軸に対する直交面３０ａに入射した光は、光源の中心光軸に対する直交面３０ａで拡散・透過して壁面Ｄの上方側（壁面Ｄの上端部から所定寸法下側の位置）から下方側にわたって照射される。また、拡散板３０に入射した光のうち、傾斜面３０ｂに入射した光は、傾斜面３０ｂで壁面Ｄの上端方向に屈折すると共に拡散・透過し、壁面Ｄの上端部から壁面Ｄの上方側（壁面Ｄの上端部から所定寸法下側の位置）にわたって照射される。
すなわち、本実施形態では、拡散板３０が光源の中心光軸に対する直交面３０ａ及び傾斜面３０ｂを備えた構造になっているため、壁面Ｄの上端部に光が照射できると共に、壁面Ｄの上端部から下方側の広範囲の領域に均整度の高い光を照射できる。
【００３３】
また、本実施形態では、上述した特許文献１に記載の拡散板のような複雑な加工が必要な構造（入光面や出光面に凹凸構造を形成し、且つ出光面に光源からの光を拡散して出光させる第一領域と、光源からの光を、第一領域における拡散角度とは異なる角度に拡散して出光させる第二領域を設けた構造）を採用しておらず、比較的単純な構造の拡散板３０を用いているため、特許文献1のものと比べて容易に製造することができる。
【００３４】
また、本実施形態では、拡散板３０が、反射板２０と天井Ｃ面との間に配置されており、上述した非特許文献１のダウンライトのように、拡散板が天井Ｃ面から突出した構成ではないため、天井Ｃ部分の美観を損ねることがない。
【００３５】
尚、本願の発明者が、本実施形態のダウンライトＷと、図５に示す従来技術のダウンライト１００とを用いて、壁面（天井に垂直な壁面）に対する照射試験を行ったところ、図３、図４に示す壁面照度分布が得られた。
ここで、図３は本実施形態のダウンライトの壁面照度分布図であり、図４は図５に示す従来技術のダウンライトの壁面照度分布図である。
【００３６】
上記の照射試験で用いた「ダウンライトＷ」及び「従来技術のダウンライト１００」には、同じ構成の光源部（ＬＥＤ  ３０Ｗ）が搭載されている。また、上記の照射試験では、「ダウンライトＷ」及び「従来技術のダウンライト１００」は、いずれも、壁面からの距離が「０．９ｍ」の天井に埋め込んで設置した上で、光源部からの照射を行った。
そして、本実施形態のダウンライトＷを用いた照射試験の結果、図３に示す壁面照度分布が得られ、従来技術のダウンライト１００を用いた照射試験の結果、図４に示す壁面照度分布が得られた。
【００３７】
図３に示す本実施形態のダウンライトＷの壁面照度分布では、壁面の上端部に光が照射されていると共に、壁面の広範囲の領域に光が照射されていることが示されている。
一方、図４に示す従来技術のダウンライト１００の壁面照度分布では、壁面の上端部に光が照射されていないことが示されている。また、図３及び図４の照度分布を比較すると、従来技術のダウンライト１００は、本実施形態のダウンライトＷと比べて、壁面への照射領域が狭くなっている（高さ方向及び幅方向のいずれにおいても狭くなっている）。
このように、上記の照射試験の結果、本実施形態のダウンライトＷは、図５に示す従来技術のダウンライト１００ではできない壁面の上端部への光の照射が実現できることが判った。また、上記の照射試験の結果、本実施形態のダウンライトＷは、従来技術のダウンライト１００と比べて、壁面の広範囲の領域に光を照射できる（すなわち、壁面全体を均一に照射できる）という作用効果が得られることが判った。
【００３８】
以上、本実施形態について説明したが、本発明は、この実施形態に限定されるものではなく、その要旨の範囲内において種々の変更が可能である。
【００３９】
例えば、上述した実施形態では、光源部１０は、光基板（ＣＯＢ（Ｃｈｉｐ Ｏｎ Ｂｏｒｄ））絶縁板１１上に配置されている光基板（ＣＯＢ）１２とを備えた構成になっているが、特にこれに限定されるものではない。光源部１０は、図示しない電源部から供給される電力により発光できるものであれば、光基板（ＣＯＢ）１２以外の構成部品を用いたものであっても、本発明に適用される。
【００４０】
また、上述した実施形態では、拡散板３０は、光源の中心光軸に対する直交面３０ａと傾斜面３０ｂとが一体の部品として構成されているが、別体の部品として構成されていても良い。
また、光源の中心光軸に対する直交面３０ａと傾斜面３０ｂは平面ではなく、双曲面、放物面や自由曲面を含む曲面で構成してもよい。さらに、光源部１０と拡散板３０などの構成関係を保ちながら、光源部１０を壁面に向けるような構造にすれば、より壁面上方を照射することもできる。
【００４１】
また、上述した実施形態では、照明器具がダウンライトである場合を例にして説明したが、同様の構成を備えるものであれば、本発明は、ダウンライト以外の照明器具にも適用可能である。
【符号の説明】
【００４２】
Ｗ…ダウンライト（照明器具）
１…ヒートシンク
１０…光源部
１１…光基板絶縁板
１２…光基板
１３…シリコンカバー
２０…反射板
２０ａ…反射部
２０ａ１…入射口
２０ａ２…出射口
２０ｂ…フランジ部
２０ｃ…補強部
３０…拡散板
３０ａ…光源の中心光軸に対する直交面
３０ｂ…傾斜面
４０…トリム
４０ａ…本体部
４０ｂ…外側鍔部
４０ｃ…内側鍔部
５０…取り付けバネ
６０…コーン
７０…副反射板
８１…光基板ホルダー
８３…拡散板取付金具
【図１】
2017130366.tif 000003
【図２】
2017130366.tif 000004
【図３】
2017130366.tif 000005
【図４】
2017130366.tif 000006
【図５】
2017130366.tif 000007